(57)【要約】【課題】専門的知識を備えない者であっても、発電所のサイロから石炭を払出す計画を容易に作成することができるシステムを提供する。【解決手段】発電所における複数のサイロからボイラへの石炭の払出しの計画を作成するシステムは、各サイロに対応するサイロ識別情報と、サイロに石炭が搬入された搬入日とが対応づけられたサイロ管理情報が記録されたサイロ管理情報データベース２０２を参照してサイロ管理情報を取得するサイロ管理情報取得部１０２と、サイロ管理情報取得部１０２が取得したサイロ管理情報に含まれる搬入日に基づき、石炭の払出しを行うサイロの指定を含む払出し計画を作成する払出し計画作成部１１８と、を備える。【選択図】図１
2009009222.tif 000002
【特許請求の範囲】
【請求項１】
発電所における複数のサイロからボイラへの石炭の払出しの計画を作成するシステムであって、
各サイロを識別するサイロ識別情報と、当該サイロに石炭が搬入された搬入日とが対応づけられたサイロ管理情報が記録されたサイロ管理情報データベースを参照してサイロ管理情報を取得するサイロ管理情報取得部と、
前記サイロ管理情報取得部が取得した前記サイロ管理情報に含まれる搬入日に基づき、石炭の払出しを行うサイロを決定する払出し計画作成部と、
を備えることを特徴とする払出し計画作成システム。
【請求項２】
請求項１記載の払出し計画作成システムであって、
発電所における石炭の受入計画が記録された受入計画データベースを参照して、前記受入計画を取得する受入計画取得部と、
前記受入計画取得部が取得した受入計画と、前記サイロ管理情報取得部が取得したサイロ管理情報に基づき、石炭を受入れるサイロを決定する受入計画作成部と、を備えることを特徴とする払出し計画作成システム。
【請求項３】
請求項１又は２記載の払出し計画作成システムであって、
複数の種類の石炭を混合して燃焼させる場合に、良好な燃焼状態となる石炭の組み合わせを含む石炭混合情報が記録された石炭混合情報データベースを参照して、石炭混合情報を取得する石炭混合情報取得部を備え、
前記払出し計画作成部は、前記サイロ管理情報に含まれる搬入日と、前記石炭混合情報取得部が取得した石炭混合情報に含まれる最適な燃焼状態となる石炭の組み合わせとに基づき、払出し計画を作成することを特徴とする払出し計画作成システム。
【請求項４】
請求項１から３何れかに記載の払出し計画作成システムであって、
優先的に払出しを行うサイロの識別情報を含む優先払出しサイロ情報が記録された優先払出しサイロ情報データベースを参照して、前記優先払出しサイロ情報を取得する優先払出しサイロ情報取得部を備え、
前記払出し計画作成部は、前記サイロ管理情報に含まれる搬入日と、前記優先払出しサイロ情報取得部が取得した優先払出しサイロ情報に含まれる優先的に払出しを行うサイロの識別情報とに基づき、払出し計画を作成することを特徴とする払出し計画作成システム。
【請求項５】
請求項１から４何れかに記載の払出し計画作成システムであって、
優先的に払出しを行う石炭の種類を含む優先払出し石炭情報が記録された優先払出し石炭情報データベースを参照して、前記優先払出し石炭情報を取得する優先払出し石炭情報取得部と、を備え、
前記サイロ管理情報データベースは、各サイロの識別情報と、搬入日と、貯蔵されている石炭の種類と、が対応付けられて記録されており、
前記サイロ管理情報取得部は、前記サイロ管理情報データベースを参照して、前記石炭情報取得部が取得した優先払出し石炭情報に含まれる石炭の種類の貯蔵されているサイロの識別情報を取得し、
前記払出し計画作成部は、前記サイロ管理情報に含まれる搬入日と、前記取得した優先払出し石炭情報に含まれる石炭の種類に対応するサイロの識別情報と、に基づき、払出し計画を作成することを特徴とする払出し計画作成システム。
【請求項６】
請求項１から５何れかに記載の払出し計画作成システムであって、
前記払出し計画作成部は、
前記サイロ管理情報に含まれる石炭の貯蔵量に基づき、決定した払出しを行うサイロの石炭の貯蔵量が一日に必要な石炭の払出し量に比べて少ない場合には、
他の搬入日の早いサイロを払出しを行うサイロとして選定することを特徴とする払出し計画作成システム。
【請求項７】
請求項１から６何れかに記載の払出し計画作成システムであって、
石炭のサイロにおける循環及びサイロ間の移送の対象となるサイロの識別情報が記録された循環移送計画データベースを参照して、前記循環及び移送の対象となるサイロの識別情報を取得する循環移送計画情報取得部を備え、
前記払出し計画作成部は、
前記循環移送計画情報取得部が取得した前記循環及び移送の対象となるサイロの識別情報により特定されるサイロを、払出しの対象から除外することを特徴とする払出し計画作成システム。
【請求項８】
請求項１から７何れかに記載の払出し計画作成システムであって、
前記作成した払出し計画に基づき、サイロの石炭の払出しを行う払出し装置を制御する制御部を備えることを特徴とする払出し計画作成システム。
【請求項９】
請求項１から８何れかに記載の払出し計画作成システムであって、
実際に行われた石炭の払出しの実績の入力を受付ける入力部を備え、
前記払出し計画作成部は、
前記入力部が受付けた払出し実績と、払出し計画とを比較し、比較結果に基づき、払出し計画の補正を行うことを特徴とする払出し計画作成システム。
【請求項１０】
発電所のサイロを識別するサイロ識別情報と、当該サイロに石炭が搬入された搬入日とが対応づけられたサイロ管理情報が記録されたサイロ管理情報データベースにアクセス可能なコンピュータにより、発電所における複数のサイロからボイラへの石炭の払出しの計画を作成する方法であって、
前記コンピュータが、前記サイロ管理情報データベースを参照してサイロ管理情報を取得するステップと、
前記コンピュータが、取得した前記サイロ管理情報に含まれる搬入日に基づき、石炭の払出しを行うサイロを決定するステップと、
を備えることを特徴とする払出し計画作成方法。
【発明の詳細な説明】
【技術分野】
【０００１】
本発明は、発電所などにおけるサイロから石炭の払出しを行う計画を作成するための払出し計画作成システム及び方法に関する。
【背景技術】
【０００２】
従来より、発電所などでは、船舶などによって運ばれた石炭を複数のサイロに貯蔵し、燃焼状況が良好になるように複数の種類の石炭をボイラに供給している。このようにサイロより石炭を供給する作業は払出しといい、このような払出しの作業は、担当者が作成した計画とに基づき、運転員がサイロより石炭を供給する払出し装置を操作して行っていた。
【０００３】
このような石炭の受入や払出しの計画の手間を削減するため、例えば、特許文献１には、複数のサイロより所定の量の石炭の払出しをすることができるシステムが記載されている。
【特許文献１】特開平２００２−２３４６１１号公報
【発明の開示】
【発明が解決しようとする課題】
【０００４】
上記のシステムは払出しの作業は機械制御により行うことができるものの、払出し計画
は担当者が作成して入力しなければならない。このような、石炭の受入れや払出しの計画をするためには、石炭の種類ごとの特性や発電設備に関する専門的な知識が必要となり、専門家を配置しなければならずコスト高になる。また、計画作成者の見過ごしなどにより、石炭が長期間貯蔵され自然発火が起こる虞がある。
【０００５】
本発明は、上記の問題に鑑みなされたものであり、その目的は、専門的知識を備えない者であっても、サイロからボイラへ石炭を供給する払出しの実施計画を作成することができるシステムを提供することである。
【課題を解決するための手段】
【０００６】
本発明の払出し計画作成システムは、発電所における複数のサイロからボイラへの石炭の払出しの計画を作成するシステムであって、各サイロを識別するサイロ識別情報と、当該サイロに石炭が搬入された搬入日とが対応づけられたサイロ管理情報が記録されたサイロ管理情報データベースと、前記サイロ管理情報データベースを参照してサイロ管理情報を取得するサイロ管理情報取得部と、前記サイロ管理情報取得部が取得した前記サイロ管理情報に含まれる搬入日に基づき、石炭の払出しを行うサイロを決定する払出し計画作成部と、を備えることを特徴とする。
【０００７】
上記の払出し計画システムは、複数の種類の石炭を混合して燃焼させる場合に、良好な燃焼状態となる石炭の組み合わせを含む石炭混合情報が記録された石炭混合情報データベースと、前記石炭混合情報データベースを参照して、石炭混合情報を取得する石炭混合情報取得部とを備え、前記払出し計画作成部は、前記サイロ管理情報に含まれる搬入日及び前記石炭混合情報取得部が取得した石炭混合情報に含まれる最適な燃焼状態となる石炭の組み合わせとに基づき、払出し計画を作成してもよい。
【０００８】
また、優先的に払出しを行うサイロの識別情報を含む優先払出しサイロ情報が記録された優先払出しサイロ情報データベースと、前記優先払出しサイロデータベースを参照して、前記優先払出しサイロ情報を取得する優先払出しサイロ情報取得部と、を備え、前記払出し計画作成部は、前記サイロ管理情報に含まれる搬入日と、前記優先払出しサイロ情報取得部が取得した優先払出しサイロ情報に含まれる優先的に払出しを行うサイロの識別情報とに基づき、払出し計画を作成してもよい。
【０００９】
また、優先的に払出しを行う石炭の種類を含む優先払出し石炭情報が記録された優先払出し石炭情報データベースと、前記優先払出し石炭情報データベースを参照して、前記優先払出し石炭情報を取得する優先払出し石炭情報取得部と、を備え、前記サイロ管理情報データベースは、各サイロの識別情報と、搬入日と、貯蔵されている石炭の種類と、が対応付けられて記録されており、前記サイロ管理情報取得部は、前記サイロ管理情報データベースを参照して、前記石炭情報取得部が取得した優先払出し石炭情報に含まれる石炭の種類に対応するサイロの識別情報を取得し、前記払出し計画作成部は、前記サイロ管理情報に含まれる搬入日と、前記取得した優先払出し石炭情報に含まれる石炭の種類に対応するサイロの識別情報と、に基づき、払出し計画を作成してもよい。
【００１０】
また、前記払出し計画作成部は、前記サイロ管理情報に含まれる石炭の貯蔵量に基づき、決定した払出しを行うサイロの石炭の貯蔵量が一日に必要な石炭の払出し量に比べて少ない場合には、前記他の払出し可能なサイロを払出しを行うサイロとして選定してもよい。
【００１１】
また、石炭のサイロにおける循環及びサイロ間の移送の対象となるサイロの識別情報が記録された循環移送計画データベースと、前記循環移送計画データベースを参照して、前記循環及び移送の対象となるサイロの識別情報を取得する循環移送計画情報取得部と、を備え、前記払出し計画作成部は、前記循環移送計画情報取得部が取得した前記循環及び移送の対象となるサイロの識別情報により特定されるサイロを、払出しの対象から除外してもよい。
【００１２】
また、発電所における石炭の受入計画が記録された受入計画データベースと、前記受入計画データベースを参照して、前記受入計画を取得する受入計画取得部と、前記受入計画取得部が取得した受入計画と、前記サイロ管理情報取得部が取得したサイロ管理情報に基づき、石炭を受入れるサイロを決定する受入計画作成部と、を備えてもよい。
また、前記作成した払出し計画に基づき、サイロの石炭の払出しを行う払出し装置を制御する制御部を備えてもよい。
【００１３】
また、本発明の払出し計画作成方法は、発電所のサイロを識別するサイロ識別情報と、当該サイロに石炭が搬入された搬入日とが対応づけられたサイロ管理情報が記録されたサイロ管理情報データベースと、前記サイロ管理情報データベースにアクセス可能なコンピュータにより、発電所における複数のサイロからボイラへの石炭の払出しの計画を作成する方法であって、  前記コンピュータが、前記サイロ管理情報データベースを参照してサイロ管理情報を取得するステップと、前記コンピュータが、取得した前記サイロ管理情報に含まれる搬入日に基づき、石炭の払出しを行うサイロを決定するステップと、を備えることを特徴とする。
【発明の効果】
【００１４】
本発明によれば、予めデータベースに各種情報を記録しておくことにより、専門的知識を備えない者であっても容易に受入計画及び払出し計画を作成することができる。また、人為的なミスによる自然発火を防止できる。
【発明を実施するための最良の形態】
【００１５】
以下、本実施形態の払出し計画作成システムの一実施形態を図面を参照しながら説明する。
本実施形態の払出し計画作成システムは、発電所のサイロに貯蔵された石炭をボイラに供給する払出し作業の計画を作成するためのシステムである。発電所には船舶や鉄道などにより石炭が搬入され、サイロに貯蔵した後、ボイラに供給される。サイロ内の石炭を払出す払出し装置は複数台設けられており、各払出し装置は複数のサイロの石炭を払出すことができる。各払出し装置に対応する複数のサイロをサイロ系としてまとめて管理している。
【００１６】
図１は、本実施形態の払出し計画作成システム１０の構成を示す図である。同図に示すように、本実施形態のサイロ管理システムは、循環・移送情報データベース２００と、サイロ管理情報データベース２０２と、優先払出し石炭情報データベース２０６と、優先払出しサイロ情報データベース２０８と、石炭混合情報データベース２１０と、受入計画情報データベースと、受入計画データベース２２２、払出し計画データベース２２６と、循環・移送情報取得部１００と、サイロ管理情報取得部１０２と、サイロ管理情報記録部１０４と、優先払出し石炭情報取得部１０６と、優先払出しサイロ情報取得部１０８と、石炭混合情報取得部１１０と、石炭受入計画情報取得部１１２と、入力部１１４と、受入計画作成部１１６と、払出し計画作成部１１８と、出力部１２０と、制御部１２１と、受入計画記録部１２２と、受入計画取得部１２４と、払出し計画記録部１２６と、払出し計画取得部１２８と、受入実績記録部１３４と、受入実績取得部１３６と、受入実績データベース２３０と、払出し実績記録部１３０と、払出し実績取得部１３２と、払出し実績データベース２２８とを備える。
機能部１００〜１３２は、コンピュータがプログラムを実行することにより実施される。また、２００〜２３０のデータベースは例えば、ハードディスク等の記憶装置に構築される。
【００１７】
循環・移送情報データベース２００には、図２に示すように、サイロ内における石炭の循環作業又はサイロ間の石炭の移送作業を行う実施予定日と、循環又は移送作業の対象となるサイロの識別情報とを含む移送・循環情報が記録されている。
循環・移送情報取得部１００は、循環・移送情報データベース２００を参照して、移送・循環情報を取得することができる。
【００１８】
サイロ管理情報データベース２０２には、図３に示すように、各サイロの識別情報と、払出し計画作成対象日までの日付と、各日にちにおけるサイロに貯蔵されている石炭の種類と、サイロに貯蔵されている石炭の貯蔵量と、石炭の搬入された搬入日時と、が対応付けられたサイロ管理情報が記録されている。
サイロ管理情報取得部１０２は、サイロ管理情報データベース２０２を参照して、サイロ管理情報を取得することができる。
サイロ管理情報記録部１０４は、サイロ管理情報データベース２０２にサイロ管理情報を記録することができる。
【００１９】
優先払出し石炭情報データベース２０６には、図４に示すように、環境負荷や昇温率などに基づき優先的に払出しを行う石炭の種類と、開始年月日と、終了年月日と、優先順位とが対応づけられた優先払出し石炭情報が記録されている。
優先払出し石炭情報取得部１０６は、優先払出し石炭情報データベース２０６を参照して、払出し計画の対象日に、優先的に払出しを行う必要がある石炭の有無を調べ、優先的に払出しを行う必要がある石炭がある場合には、該当する石炭の種類の情報を取得できる。
【００２０】
優先払出しサイロ情報データベース２０８には、図５に示すように、補修作業等を行うために空にする必要があり、優先的に払出しを行うサイロの識別情報と、開始年月日と、終了年月日と、優先順位とが対応づけられて記録されている。
優先払出しサイロ情報取得部１０８は、優先払出しサイロ情報データベース２０８を参照して、払出し計画の対象日に、優先的に払出しを行う必要があるサイロの有無を調べ、優先的に払出しを行うサイロがある場合には、該当するサイロの識別情報を取得する。
【００２１】
石炭混合情報データベース２１０には、複数の種類の石炭を混合して燃焼させる場合に、良好な燃焼状態となる石炭の組み合わせのリストを含む石炭混合情報が記録されている。
石炭混合情報取得部１１０は、石炭混合情報データベース２１０を参照して、石炭混合情報を取得する。
【００２２】
石炭受入計画情報データベース２１２には、図６に示すように、発電所に搬入される石炭の種類、搬入日、搬入量を含む石炭受入計画情報が記録されている。
石炭受入計画情報取得部１１２は、石炭受入計画情報データベース２１２を参照して、石炭受入計画情報を取得することができる。
なお、２００〜２３０のデータベースは、払出し計画作成システム１０とネットワークを介して接続され、１００〜１３６の機能部はネットワークでアクセスして情報を取得してもよい、
【００２３】
受入計画作成部１１６は、後述するように各石炭を受入るサイロの指定を含む石炭受入計画を作成する。
払出し計画作成部１１８は、後述するように石炭の払出しを行うサイロの指定を含む石炭払出し計画を作成する。
【００２４】
出力部１２０は、作成された払出し計画及び受入計画を帳票の形式に変換して出力する。
制御部１２１は、作成された払出し計画に基づき、サイロより石炭を払出す払出し装置を制御することができる。
【００２５】
受入計画データベース２２２は、受入計画作成部１１６が作成した石炭受入計画が記録される。受入計画記録部１２２は、受入計画作成部１１６が作成した石炭受入計画を受入計画データベース２２２に記録できる。受入計画取得部１２４は、受入計画データベース２２２を参照して、石炭受入計画を取得することができる。
【００２６】
払出し計画データベース２２６は、払出し計画作成部１１８が作成した石炭払出し計画が記録される。払出し計画記録部１２６は、払出し計画作成部１１８が作成した石炭払出し計画を払出し計画データベース２２６に記録することができる。払出し計画取得部１２８は、払出し計画データベース２２６を参照して、石炭払出し計画を取得することができる。
受入実績データベース２３０には、受入実績記録部１３４より、実際に行われた石炭の受入作業の実績が記録される。受入実績取得部１３６は、受入実績データベース２３０を参照して、受入実績を取得することができる。
払出し実績データベース２２８には、払出し実績記録部１３０より、実際に行われた石炭の払出し作業の実績が記録される。払出し実績取得部１３２は、払出し実績データベース２２８を参照して、払出し実績を取得することができる。
【００２７】
以下、本実施形態の払出し計画作成システム１０を用いた受入れサイロの決定及び払出しサイロの決定の流れを説明する。
図７は、払出し計画作成システム１０が払出しサイロ計画を作成する流れを示すフローチャートである。
同図に示すように、まず、ステップ１０において、入力部１１４が計画作成担当者による払出し計画の作成対象となる対象期間の入力を受付ける。
次に、ステップ１２において、対象期間の初日を計画対象日とする。
次に、ステップ１４において、循環・移送情報取得部１００が、循環・移送情報データベース２００を参照して、計画対象日が循環計画又は移送計画の実施予定日と一致する循環計画又は移送計画の情報を取得する。
【００２８】
払出し計画作成部１１８は、計画対象日に行われる循環計画又は移送計画の情報を取得すると、ステップ１６において、循環情報又は移送情報に含まれる循環又は移送の対象となるサイロの識別情報に該当するサイロを払出しの対象となるサイロから除外する。
【００２９】
次に、ステップ１８において、払出し計画作成部１１８が、優先払出しサイロ情報データベース２０８に記録された優先的に払出しを行うサイロの情報に基づき払出しサイロの選定を行う。
【００３０】
図８は、優先的に払出しを行うサイロの情報に基づき払出しサイロの選定を行う流れを示すフローチャートである。同図に示すように、まず、ステップ１００において、優先払出しサイロ情報取得部１０８が、優先払出しサイロ情報データベース２０８を参照して、計画対象日が、開始年月日から終了年月日の間に含まれる優先的に払出しを行うサイロがあるか否かを判定する。
【００３１】
ステップ１００において、優先的に払出しを行うサイロがあると判定した場合には、ステップ１０２において、優先払出しサイロ情報取得部１０８が、優先的に払出しを行うサイロの識別情報と、優先順位とを取得する。
【００３２】
次に、ステップ１０４において、サイロ管理情報取得部１０２が、サイロ管理情報データベース２０２を参照して、優先的に払出しを行うサイロのサイロ管理情報を取得する。
次に、ステップ１０６において、サイロ管理情報取得部１０２が、サイロ管理情報データベース２０２を参照して、サイロ系ごとに搬入日時の古いサイロのサイロ管理情報を取得する。
【００３３】
次に、ステップ１０８において、払出し計画作成部１１８が、取得したサイロ管理情報に基づき、搬入日時の古いサイロを混合候補サイロとして選択する。
次に、ステップ１１０において、石炭混合情報取得部１１０が、石炭混合情報データベース２１０を参照して、良好な燃焼状態となる石炭の組み合わせのリストを含む石炭混合情報を取得する。
【００３４】
次に、ステップ１１２において、払出し計画作成部１１８が、石炭の組み合わせのリストに基づき、優先払出しサイロに貯蔵されている石炭と、混合候補サイロとして選択したサイロの石炭とが混合して燃焼することが可能であるかを判定する。
ステップ１１２において、払出し計画作成部１１８が、混合して燃焼することが可能であると判定した場合には、この優先払出しサイロ及び混合候補サイロを払出しサイロとして選定し、優先払出しサイロ情報に基づく払出しサイロの選定を終了し、ステップ２０に進む。
また、ステップ１１２において、払出し計画作成部１１８が、混合して燃焼するのに適していないと判定した場合には、ステップ１１６において、他に混合候補サイロとして選択されていないサイロがあるかに基づき、混合候補サイロの変更が可能であるかどうかを判定する。
ステップ１１６において、他に混合候補サイロとして選択されていないサイロが残っている場合には、混合候補サイロの変更が可能であると判定して、ステップ１１８において、次に搬入日時の古いサイロを混合候補サイロとして、ステップ１１２に戻る。
【００３５】
ステップ１００において、優先的払出しサイロの候補がないと判定された場合や、ステップ１１６において、混合候補サイロの変更ができないと判定した場合には、優先払出しサイロ情報に基づき払出しサイロの決定することができないと判定して、優先払出しサイロに基づく払出しサイロの選定の工程を終了し、ステップ２０に進む。
【００３６】
図７に戻り、ステップ２０において、ステップ１８の優先払出しサイロに基づく払出しサイロの選定で、払出しサイロが決定した場合には、後述するステップ３０に進み、払出し計画データベース２２６に、決定した払出しサイロを記録する。
また、ステップ２０において、払出しサイロを選定することができなかった場合には、ステップ２２に進み、優先的に払出しを行う石炭の種類に関する情報に基づき、払出しサイロの選定を行う。
【００３７】
図９は、ステップ２２における優先的に払出しを行う石炭の種類に基づき、払出しサイロの選定を行う流れを示すフローチャートである。
同図に示すように、まず、ステップ２００において、優先払出し石炭情報取得部１０６が、優先払出し石炭情報データベース２０６を参照して、計画対象日が、開始年月日から終了年月日の間に含まれる優先払出し石炭情報の有無を判定する。
ステップ２００において、計画対象日が、開始年月日から終了年月日に含まれる優先払出し石炭情報がある場合には、ステップ２０２において、優先払出し石炭情報取得部１０６が、計画対象日が開始年月日から終了年月日の間に含まれる優先的に払出しを行う石炭の種類と、優先順位とを含む優先払出し石炭情報を取得する。
【００３８】
次に、ステップ２０４において、サイロ管理情報取得部１０２が、サイロ管理情報データベース２０２を検索し、優先払出し石炭情報に含まれる石炭の種類に該当する種類の石炭が貯蔵されているサイロがある場合には、このサイロ管理情報を取得する。
次に、ステップ２０６において、サイロ管理情報データベース２０２を参照して、サイロ系ごとに搬入日時の古いサイロのサイロ管理情報を取得する。
【００３９】
次に、ステップ２０８において、払出し計画作成部１１８が、取得したサイロ管理情報に基づき、サイロ系ごとの搬入日時の古いサイロを混合候補サイロとして選択する。
次に、ステップ２１０において、石炭混合情報取得部１１０が、石炭混合情報データベース２１０を参照して、良好な燃焼状態となる石炭の組み合わせのリストを含む石炭混合情報を取得する。
【００４０】
次に、ステップ２１２において、払出し計画作成部１１８が、取得した石炭の組み合わせのリストに基づき、優先払出し石炭情報に含まれる石炭の種類に該当する石炭と、混合候補サイロとして選択したサイロの石炭とを混合して燃焼することが可能であるか否かを判定する。ステップ２１２において、払出し計画作成部１１８が、混合して燃焼することが可能であると判定した場合には、ステップ２１４において、この優先払出し石炭情報に該当する石炭が貯蔵されているサイロ及び混合候補サイロを払出しサイロとして決定し、優先に払出しを行う石炭種類に基づく払出しサイロの選定を終了し、ステップ２４に進む。
【００４１】
また、ステップ２１２において、払出し計画作成部１１８が、混合して燃焼するのに適していないと判定した場合には、ステップ２１６において、サイロ管理情報取得部１０２が、サイロ管理情報データベース２０２を検索し、サイロ系ごとの搬入日時の古いサイロがあるかどうかを調べ、これに基づき払出し計画作成部１１８が、混合候補サイロの変更ができるか否かを判定する。
【００４２】
ステップ２１６において、混合候補サイロの変更が可能である場合には、ステップ２１８において、次に搬入日時の古いサイロを混合候補サイロとして、ステップ２１２に戻る。
【００４３】
ステップ２００において、優先的に払出しを行う石炭の種類がない場合や、ステップ２１６において、混合候補サイロの変更ができない場合には、優先に払出しを行う石炭の種類に基づく払出しサイロの選定の工程を終了し、ステップ２４に進む。
【００４４】
図７に戻り、ステップ２４において、優先払出し石炭情報に基づく払出しサイロの選定の工程において、払出しサイロが決定した場合には、後述するステップ３０に進む。また、ステップ２４において、払出しサイロが決定していない場合には、ステップ２６に進み、サイロの空きを確保できるようにサイロの貯蔵量に基づき払出しサイロを選択する。
【００４５】
図１０は、ステップ２６において、サイロの空きを確保できるようにサイロの貯蔵量に基づき払出しサイロを選択する流れを示す図である。
同図に示すように、まず、ステップ３００において、サイロ管理情報取得部１０２が、サイロ管理情報データベース２０２を参照して、計画対象日の各サイロのサイロ管理情報を取得する。
【００４６】
次に、ステップ３０２において、払出し計画作成部１１８が、サイロ管理情報に含まれる各サイロの貯蔵量に基づき、各サイロ系において、石炭の貯蔵されていないサイロがあるか否かを判定する。ステップ３０２において、各サイロ系において、石炭の貯蔵されていないサイロがあると判定された場合には、ステップ３０４において、各サイロ系において、石炭の貯蔵されているサイロの中で搬入日時が最も古いサイロを払出し候補サイロとする。
また、ステップ３０２において、各サイロ系において石炭の貯蔵されていないサイロがない場合には、ステップ３０６において、石炭の貯蔵量が少ないサイロを払出し候補サイロとする。
【００４７】
次に、ステップ３０８において、ステップ３００において取得したサイロ系ごとの搬入日時の古いサイロのうち最良好な燃焼状態となる石炭の組み合わせのリストを含む石炭混合情報も搬入日時の古いサイロを混合候補サイロとして選択する。
次に、ステップ３１０において、石炭混合情報取得部１１０が、石炭混合情報データベース２１０を参照して、良好な燃焼状態となる石炭の組み合わせのリストを含む石炭混合情報を取得する。
【００４８】
次に、ステップ３１２において、石炭の組み合わせのリストに基づき、払出し候補サイロの石炭と、混合候補サイロとして選択したサイロの石炭とが混合して燃焼することができるか否かを判定する。
【００４９】
ステップ３１２において、混合して燃焼することができないと判定した場合には、ステップ３１４においてサイロ系ごとに混合候補サイロとして選択していないサイロが残っているか否かに基づき、混合候補サイロの変更が可能であるか否かを判定する。
ステップ３１４において、サイロ系ごとに混合候補サイロとして選択していないサイロが残っている場合には、混合候補サイロの変更の可能と判定して、ステップ３１６において、次に搬入日時の古いサイロを混合候補サイロとして、ステップ３１２に戻る。
【００５０】
また、ステップ３１４において、サイロ系ごとに混合候補サイロとして選択していないサイロが残っていない場合には、混合候補サイロの変更ができないとして、ステップ３２０において、払出しサイロを決定できない旨の傾向を表示了する。そして、ステップ３２２において、計画担当者による払出しサイロの指定の入力を受付け、ステップ２８へ進む。
【００５１】
また、ステップ３１２において、払出し計画作成部１１８が、混合して燃焼することが可能であると判定した場合には、ステップ３１８において、この払出し候補サイロ及び混合候補サイロを払出しサイロとして決定し、サイロの貯蔵量に基づき払出しサイロを選定する工程を終了し、ステップ２８に進む。
【００５２】
図７に戻り、ステップ２６において、払出しサイロを決定した場合には、ステップ２８において、計画対象日中に貯蔵されている石炭が十分足りるか否かを判定する。
【００５３】
図１１は、計画対象日中に貯蔵されている石炭が十分足りるか否かを判定するフローチャートである。同図に示すように、まず、ステップ４００において、サイロ管理情報取得部１０２が、サイロ管理情報データベース２０２を参照して、払出しサイロのサイロ管理情報を取得する。
次に、ステップ４０２において、払出し計画作成部１１８が、受信したサイロ管理情報に含まれる払出しサイロの石炭の貯蔵量を、一日の払出し量と比較し、各払出しサイロに貯蔵された石炭の貯蔵量が当日中にゼロになるか否かを判定する。
【００５４】
ステップ４０２において、当日中に石炭の貯蔵量がゼロにならないと判定した場合には、当日中に貯蔵されている石炭がなくなるか否かの判定処理を終了して、ステップ３０へ進む。
また、ステップ４０２において、当日中に何れかのサイロの石炭の貯蔵量がゼロとなると判定した場合には、ステップ４０４において、このゼロとなるサイロ以外の払出し候補サイロを残置サイロとする。
【００５５】
次に、ステップ４０６において、サイロ管理情報取得部１０２が、サイロ管理情報データベース２０２を参照して、払出し候補サイロ以外のサイロの中で搬入日時の古いサイロの識別情報及び石炭の種類を取得する。
次に、ステップ４０８において、石炭混合情報取得部１１０が、石炭混合情報データベース２１０を参照して、良好な燃焼状態となる石炭の組み合わせのリストを含む石炭混合情報を取得する。
【００５６】
ステップ４１０において、石炭の組み合わせのリストに基づき、取得した搬入日時の古いサイロの石炭の種類が、残置サイロの石炭の種類と燃焼可能であるか否かを判定する。ステップ４１０において燃焼可能と判定された場合には、ステップ４１２において、取得した搬入日時の古いサイロを払出しサイロとして変更して、当日中に貯蔵されている石炭がなくなるか否かの判定処理を終了する。
【００５７】
また、ステップ４１０において、燃焼不可能と判定された場合には、ステップ４１２において、払出し候補サイロ以外のサイロに搬入日時の古い他のサイロがあるか否かに基づき、混合候補サイロの変更が可能であるか否かを判定する。
【００５８】
ステップ４１２において、混合候補サイロの変更が可能であると判定された場合には、ステップ４１４において、払出し候補サイロ以外のサイロから搬入日時の古い他のサイロを選択し、ステップ４１０に戻る。
【００５９】
ステップ４１２において混合候補サイロの変更ができない場合には、ステップ４１８において、出力部１２０に払出しサイロの石炭の貯蔵量が当日中にゼロになる旨の警告を表示する。そして、ステップ４２０において、計画担当者による払出しサイロの指定の入力を受付け、ステップ３０へ進む。
【００６０】
図７に戻り、ステップ２０及びステップ２４において払出しサイロが決定した場合、及びステップ２８においてサイロ貯蔵量の判定処理が終了した場合には、ステップ３０において、払出し計画記録部１２６が、決定した払出しサイロの指定を含む払出し計画を、払出し計画データベース２２６に記録する。
【００６１】
次に、ステップ３２において、決定した払出し計画に基づき、サイロ管理情報記録部１０４がサイロ管理情報データベース２０２に払出し後のサイロ管理情報を記録する。
次に、ステップ３４において、発電所に搬入された石炭を受入れる受入計画を作成する。
【００６２】
図１２は、石炭の受入計画を作成する詳細な流れを示すフローチャートである。
同図に示すように、まず、ステップ５００において、サイロ管理情報取得部１０２がサイロ管理情報データベース２０２を参照して、計画対象日におけるサイロ管理情報を取得する。
【００６３】
次に、ステップ５０２において、受入計画作成部１１６が、貯蔵量がゼロのサイロがあるか否かを判定する。ステップ５０２において、貯蔵量がゼロのサイロがあると判定された場合には、ステップ５０４において、貯蔵量がゼロのサイロがある場合には、これらのサイロの中で石炭の払出しが行われてから最も時間の経過したサイロを受入れサイロとして決定する。
また、ステップ５０２において、貯蔵量がゼロのサイロがないと判定された場合には、ステップ５０８において、選択可能なサイロがない旨の警告を表示する。そして、ステップ５１０において、計画担当者による受入サイロの指定を含む受入計画の入力を受付け、ステップ３６へ進む。
【００６４】
次に、ステップ５０６において、他に計画対象日における受入計画がある場合には、ステップ５０２〜５０６を繰り返す。ステップ５０６おいて、他に計画対象日における受入計画がない場合には、ステップ３６へ進む。
【００６５】
次に、図７に戻り、ステップ３６において、受入計画記録部１２２が、作成した受入計画を受入計画データベース２２２に記録する。
次に、ステップ３８において、決定した受入計画情報に基づき、サイロ管理情報記録部１０４がサイロ管理情報データベース２０２に石炭受入後のサイロ管理情報を記録する。
【００６６】
次に、ステップ４０において、計画対象日が計画作成期間の最終日であるか否かを判定する。ステップ４０において、計画対象日が計画作成期間の最終日ではない場合には、翌日を計画対象日として、ステップ１４〜ステップ４０までを繰り返す。また、ステップ４０において、計画対象日が計画作成期間の最終日である場合には、受入計画及び払出し計画の作成を終了する。
【００６７】
以上の工程により、受入計画及び払出し計画を作成することができる。作成された受入計画及び払出し計画は、受入計画記録部１２２及び払出し計画記録部１２６により受入計画データベース２２２及び払出し計画データベース２２６に記録される。
【００６８】
これらの受入計画及び払出し計画は、帳票出力することが可能である。入力部１１４が帳票出力を行う旨の入力を受付けると、受入計画取得部１２４及び払出し計画取得部１２８が、受入計画データベース２２２及び払出し計画データベース２２６を参照して、受入計画及び払出し計画を取得する。取得した受入計画及び払出し計画は、出力部１２０が適宜帳票の形式に変換して出力する。また、作成された払出し計画に基づき、制御部１２１がサイロの払出し装置を自動制御することも可能である。
【００６９】
また、本実施形態の払出し計画作成システム１０は、実際の払出し及び受入の実績に基づき、払出し計画及び受入計画の補正を行うことも可能である。以下、払出し計画及び受入計画の補正を行う流れを説明する。
まず、入力部１１４が、日毎の作業終了後に実際に石炭の払出し及び受入が行われた結果である払出し実績及び受入実績の入力を受付ける。
入力部１１４が、受付けた払出し実績及び受入実績は、払出し実績記録部１３０及び受入実績記録部１３４より払出し実績データベース２２８及び受入実績データベース２３０に記録される。
【００７０】
払出し計画作成部１１８は、適宜なタイミングで、払出し計画取得部１２８が払出し計画データベース２２６を参照して取得した払出し計画情報と、払出し実績取得部１３２が払出し実績データベース２２８を参照して取得した払出し実績とを比較して、払出し計画と払出し実績との間で誤差が生じていないか判定する。また、同様に、受入計画作成部１１６は、受入計画と受入実績との間で誤差が生じていないか判定する。
払出し計画及び受入計画と、実績との間に誤差がある場合には、実績に基づき、現在のサイロの状況を算出し、これに基づき、上記の払出し計画及び受入計画の作成の工程を行うことにより、払出し計画及び受入計画の補正を行うことができる。
【００７１】
本実施形態の払出し計画作成システム１０によれば、予めデータベースに各種情報を記録しておくことにより、専門的知識を備えない者であっても容易に受入計画及び払出し計画を作成することができる。また、作成された払出し計画に基づき、制御部１２１が払出し装置を自動制御することも可能であり、手間を削減することができるとともに、見落としなどが原因となり払出しが行われず、長期間貯炭による自然発火が発生してしまうのを防止できる。また、石炭混合情報データベース２１０に記録された石炭混合情報に基づき、混合する石炭を決定しているため、最適な燃焼状態とすることができる。
【００７２】
なお、本実施形態では、ステップ１８において、優先払出しサイロに基づく払出しサイロの選定を行った後、ステップ２２において、優先払出し石炭の種類に基づく払出しサイロの選定を行うこととしたが、これに限らず、優先払出し石炭の種類に基づいて払出しサイロの選定を行った後、優先払出しサイロに基づく払出しサイロの選定を行う構成としてもよい。
【図面の簡単な説明】
【００７３】
【図１】払出し計画作成システムの構成を示す図である。
【図２】循環・移送情報データベースに記録された循環・移送情報の構成を示す図である。
【図３】サイロ管理情報データベースに記録されたサイロ管理情報の構成を示す図である。
【図４】優先払出し石炭情報データベースに記録された優先払出し石炭情報の構成を示す図である。
【図５】優先払出しサイロ情報データベースに記録された優先払出しサイロ情報の構成を示す図である。
【図６】石炭受入計画情報データベースに記録された石炭受入計画情報の構成を示す図である。
【図７】払出し計画作成システムが、払出しサイロ計画を作成する流れを示すフローチャートである。
【図８】優先的に払出しを行うサイロの情報に基づき払出しサイロの選定を行う流れを示すフローチャートである。
【図９】優先的に払出しを行う石炭の種類に関する情報に基づき、払出しサイロの選定を行う流れを示すフローチャートである。
【図１０】サイロの空きを確保できるように払出しサイロを選択する流れを示すフローチャートである。
【図１１】当日中に貯蔵されている石炭がなくなるか否かを判定するフローチャートである。
【図１２】石炭の受入計画を作成する詳細な流れを示すフローチャートである。
【符号の説明】
【００７４】
１０  払出し計画作成システム
１００  循環・移送情報取得部
１０２  サイロ管理情報取得部
１０４  サイロ管理情報記録部
１０６  優先払出し石炭情報取得部
１０８  優先払出しサイロ情報取得部
１１０  石炭混合情報取得部
１１２  石炭受入計画情報取得部
１１４  入力部
１１６  受入計画作成部
１１８  払出し計画作成部
１２０  出力部
１２１  制御部
１２２  受入計画記録部
１２４  受入計画取得部
１２６  払出し計画記録部
１２８  払出し計画取得部
１３０  払出し実績記録部
１３２  払出し実績取得部
１３４  受入実績記録部
１３６  受入実績取得部
２００  循環・移送情報データベース
２０２  サイロ管理情報データベース
２０６  優先払出し石炭情報データベース
２０８  優先払出しサイロ情報データベース
２１０  石炭混合情報データベース
２１２  石炭受入計画情報データベース
２２２  受入計画データベース
２２６  払出し計画データベース
２２８  払出し実績データベース
２３０  受入実績データベース
【図１】
2009009222.tif 000003
【図２】
2009009222.tif 000004
【図３】
2009009222.tif 000005
【図４】
2009009222.tif 000006
【図５】
2009009222.tif 000007
【図６】
2009009222.tif 000008
【図７】
2009009222.tif 000009
【図８】
2009009222.tif 000010
【図９】
2009009222.tif 000011
【図１０】
2009009222.tif 000012
【図１１】
2009009222.tif 000013
【図１２】
2009009222.tif 000014